(57)【要約】      （修正有）【課題】接着剤を使用しないため組み立てた後に分解が可能であり、板との組合せ性にも優れ、木の自然な風合いを持つ、木製八角棒の連結構造及びその工作物を提供する。【解決手段】正八角形の断面からなる木製八角棒１と、奥に行くに従って狭くなるテーパ穴５を有する合成樹脂製管継手４と、からなる木製八角棒１の連結構造であって、木製八角棒１の一端が合成樹脂製管継手４に差し込まれると、木製八角棒１の角部がテーパ穴５の斜面に沿って弾性的に圧縮変形されることで連結される。【選択図】図２
0003222360.tif 000002
【実用新案登録請求の範囲】
【請求項１】
正八角形の断面からなる木製八角棒と、
奥に行くに従って狭くなるテーパ穴を有する合成樹脂製管継手と、からなる木製八角棒の連結構造であって、
前記木製八角棒の一端が前記合成樹脂製管継手に差し込まれると、前記木製八角棒の角部が前記テーパ穴の斜面に沿って弾性的に圧縮変形されることで連結されることを特徴とする、木製八角棒の連結構造。
【請求項２】
請求項１に記載された木製八角棒の連結構造により組み立てられることを特徴とする、木製八角棒と合成樹脂製管継手を用いた工作物。
【請求項３】
前記工作物は棚であることを特徴とする、請求項２に記載された木製八角棒と合成樹脂製管継手を用いた工作物。
【考案の詳細な説明】
【技術分野】
【０００１】
本考案は、木製八角棒の連結構造とその連結構造により組み立てられる棚等の工作物の技術に関する。
【背景技術】
【０００２】
昔から木の角材や板などを使って多種多様な工作物が作られてきた。木材を使用した工作物は自然な風合いを持つという優れた特色を有する。木材のなかでも特に杉等の針葉樹材は柔らかく切断も楽であり加工性に優れる。ところが、この柔らかい性質のため、釘やビスで接合した場合には点接合のためグラグラし、釘の頭もめり込んでしまう。ホゾ凹凸による接合もあるが、断面が欠損して弱くなり、素人には製作の難易度も高い。
【０００３】
そこで、接着剤により接着しながら組み立てることができ、容易にいろいろな工作物を作ることが可能な、合成樹脂製のパイプと継手がホームセンター（ＤＩＹ店）などで市販されるようになった。（例えば、特許文献１）。
【０００４】
特許文献１に記載された工作物を構成するパイプは、薄肉鋼管の外周にＡＡＳ樹脂を被覆し、内面に防食塗装をした樹脂被覆金属パイプである。また、継手は、同じくＡＡＳ樹脂の射出成型品であって、Ｌ型、Ｔ型等の多くのタイプのものが用意されている。製作可能な工作物の構造、大きさ等の自由度が高いことから、特許文献１に記載された工作物は、棚、運搬車など広い用途に使用されている。
【先行技術文献】
【特許文献】
【０００５】
【特許文献１】実開昭６２−３１５６７号公報
【考案の概要】
【考案が解決しようとする課題】
【０００６】
しかし、特許文献１の工作物は、接着剤を用いて組み立てるものであるため、完成すると分解することができない。
【０００７】
また、円形のパイプから構成されているため、板と組み合わせたとき線接触となりパイプに対する板の安定性に欠ける。
【０００８】
さらに、工業製品である樹脂製のパイプと継手から構成されているため、インテリアとして使用する場合などでは自然な風合いの面では物足りない。
【０００９】
そこで、本考案は、接着剤を使用しないため組み立てた後に分解が可能であり、板との組合せ性にも優れ、木の自然な風合いを持つ、木製八角棒の連結構造及びその工作物を提案する。
【課題を解決するための手段】
【００１０】
第１の考案に係る木製八角棒の連結構造では、正八角形の断面からなる木製八角棒と、  奥に行くに従って狭くなるテーパ穴を有する合成樹脂製管継手と、からなる木製八角棒の連結構造であって、前記木製八角棒の一端が前記合成樹脂製管継手に差し込まれると、前記木製八角棒の角部が前記テーパ穴の斜面に沿って弾性的に圧縮変形されることで連結されることを特徴とする。
【００１１】
第１の考案に係る木製八角棒の連結構造では、木製八角棒の角部が前記テーパ穴の斜面に沿って弾性的に圧縮変形されることで連結され、接着剤を使用しないため組み立てた後に分解が可能である。また、木製八角棒の面で板を受ける構造となるので、板と組み合わせたとき、面接触となり安定性に優れる。さらに、木材の持つ木目模様、香りにより自然な風合いを楽しむことができる。
【００１２】
第２の考案に係る木製八角棒と合成樹脂製管継手を用いた工作物は、第１の考案に係る木製八角棒の連結構造により組み立てられることを特徴とする。
【００１３】
第２の考案に係る木製八角棒と合成樹脂製管継手を用いた工作物は、汎用性に富むため、多くの種類のインテリアあるいはエクステリアに適用することができる。
【００１４】
第３の考案に係る木製八角棒と合成樹脂製管継手を用いた工作物は、棚であることを特徴とする。
【００１５】
第３の考案に係る木製八角棒と合成樹脂製管継手を用いた工作物としての棚は、展示棚、鑑賞棚、収納棚など多くの種類の棚に適用することができる。
【考案の効果】
【００１６】
本考案の木製八角棒の連結構造及びその工作物では、接着剤を使用しないため組み立てた後に分解が可能であり、板との組合せ性にも優れ、木の自然な風合いを楽しむことができる。そして、本考案の木製八角棒の連結構造及びその工作物は、柔らかい杉等の木製八角棒であっても十分な連結強度を備え、製作も容易である。
【図面の簡単な説明】
【００１７】
【図１】木製四角棒から木製八角棒又は、木製丸棒を製作するときの加工内容を対比して説明する図である。
【図２】本考案に係る木製八角棒の連結構造の説明図である。
【図３】本考案に係る連結構造から抜き出した木製八角棒の状態を説明する図である。
【図４】木製八角棒と板とを組み合わせた状態を説明する図である。
【図５】実施例に係る木製八角棒と合成樹脂製管継手を用いた棚である。
【考案を実施するための形態】
【００１８】
図１は、木製四角棒１０から木製八角棒１、又は木製丸棒１１を製作するときの加工内容を対比して説明する図である。図１（ｂ）に示すように、木製四角棒１０で木製丸棒１１を製作する場合、専門的な機械と技術、口径ごとの高価な刃物１２が必要となる。ところが、木製八角棒１の場合、図１（ａ）に示すように、木製四角棒１０の４つの角を面取りする構造となるので、単一の刃物１３で多くの口径に対応ができる。このように、木製八角棒１は、木製丸棒１１に比べて、製作の容易さ及びコストの面で優れている。さらに、木製八角棒１は、木製四角棒１０と木製丸棒１１の中間的な性質を備えている。
【００１９】
図２は、本考案に係る木製八角棒１の連結構造２の説明図である。図２（ａ）は、合成樹脂製管継手４の継手部３の、奥に行くに従って狭くなるテーパ穴５を長手方向に沿った断面で図示している。右側には、木製八角棒１の一端も図示している。
【００２０】
合成樹脂製管継手４は、水道用の硬質塩化ビニル管の継手（以下、「塩ビ管継手」という。）として用いられる一般的なものを使用することができる。塩ビ管継手は市販品であるため、ホームセンターなどで安価に手に入れることができる。また、管継手として一定の強度があり、耐久性も備えている。
【００２１】
図２（ａ）に示すように、継手部３は、外径φＤの筒状に形成されている。テーパ穴５は、入口の内径φｄ１、底の内径φｄ２、テーパ穴の深さＬに形成されている。テーパは（ｄ２−ｄ１）／Ｌで表される。
【００２２】
例えば、呼び径２５の塩ビ管継手の場合だと、外径φＤ＝４４ｍｍ、入口の内径φｄ１＝３２.５５ｍｍ、テーパ１／Ｔ＝1／３４に形成されている。この場合、底の内径φｄ２＝３１.３７ｍｍとなる。
【００２３】
図２（ｂ）は、塩ビ管継手４の継手部３に木製八角棒１を差し込んだ状態を、継手部３の開口側から見た図である。木製八角棒１の対角寸法ｅは、継手３の入口の内径φｄ１の寸法とほぼ同じに設定される。この実施例の木製八角棒１では、対角寸法ｅ＝３２ｍｍとされる。その場合、図２（ｂ）に示される木製八角棒１の２面幅Ｓ≒２９.６ｍｍとなる。木製八角棒１の材料は、木材ではあれば、広く針葉樹材、広葉樹材のものを使用することができる。特に針葉樹材は柔らかく取扱いが容易であるため、本実施の形態では杉材を用いる。
【００２４】
図２（ａ）に示した状態から、木製八角棒１の一端が塩ビ管継手４のテーパ穴５に差し込まれると、木製八角棒１の８カ所の先端側角部６がテーパ穴５の斜面７に沿って弾性的に圧縮変形される。すると、木製八角棒１の先端角部６からテーパ穴５の斜面７に対して木材の持つ弾性による復元力が作用するので、両者間に強い摩擦力が生じる。このため、塩ビ管継手４と木製八角棒１は、強く連結されることとなる。
【００２５】
図３は、本考案に係る連結構造２から抜き出した木製八角棒１の一端の状態を説明する図である。先端側角部６は、塩ビ管継手４のテーパ穴によって稜線がつぶれて角が丸く平らに変形している。ところで、木製丸棒１１と塩ビ管継手４とを組み合わせた場合、変形する部分が円周全範囲となるため、刺し込むために必要な力が大きくなりすぎてしまう。それに対し、木製八角棒１は適度な範囲が変形するため差し込むために必要な力が適度な大きさとなるので、木製丸棒に比べ工作性に優れる。
【００２６】
図３に示す抜き出した状態では、木製八角棒１の一端は元の形状に近づくように少し復元する。そのため、木製八角棒１の一端を再度塩ビ管継手４のテーパ穴に差し込むと、木製八角棒１の角部が再びテーパ穴５の斜面に沿って弾性的に圧縮変形される。そのため、再度、木製八角棒１と塩ビ管継手４とを連結することができる。
【００２７】
このように、本考案に係る木製八角棒１の連結構造２によれば、木製八角棒１の角部がテーパ穴５の斜面７に沿って弾性的に圧縮変形されるので、接着剤を使用しないで連結することができる。そのため、組み立てた後に分解することが可能である。また分解したあとも、何度でも組み立てることができる。
【００２８】
図４は、木製八角棒１と板１４とを組み合わせた状態を説明する図である。木製八角棒１の上側の平面１５に板１４の下面が接している。このように、木製八角棒１の平面１５で板１４を受ける構造となるので、板１４と組み合わせたとき、面接触となり安定性に優れる。また、側面にパネルを取り付けたり補強板を取り付けたりする場合にも、木製八角棒１の面がパネル面や板面と面接触し両面テープやビスなどによる取付けが効果的に行える。
【実施例】
【００２９】
以下、図５に従って一実施例を説明する。２０は、本考案に係る木製八角棒と合成樹脂製管継手（塩ビ管継手）を用いた工作物の例としての棚である。図５に示されるように、棚２０は、左右対象形となっている。そこで、まず棚２０の左部分に着目して、下から上に向かって順番にその構成を説明する。
【００３０】
棚２０の左部分では、木製八角棒２１、木製八角棒２２と木製八角棒２３とがＴ型塩ビ管継手２４によって連結されている。また、木製八角棒２２、木製八角棒２５と木製八角棒２６とがＴ型塩ビ管継手２４によって連結されている。さらに、木製八角棒２６と木製八角棒２３とがＬ型塩ビ管継手７によって連結されている。
【００３１】
棚２０の右部分も、左部分と同じく木製八角棒、Ｔ型塩ビ管継手２４及びＬ型塩ビ管継手７によって左右対象形となるよう構成されている。棚２０の左部分と右部分とは、２本の木製八角棒２５によって連絡されている。
【００３２】
左右の木製八角棒２３に渡って板３０が載せられている。板３０は上下２枚となっている。前後の木製八角棒２５に渡って板３１が載せられている。図５に示すように、塩ビ管継手のＬ型とＴ型とを変えることで、必要段数の段積みが可能であり、ビスや工具の必要がない。
【００３３】
このように、木製八角棒と合成樹脂製管継手（塩ビ管継手）を用いた工作物としての棚を製作することができる。その場合、展示棚、鑑賞棚、収納棚など多くの棚に適用することができる。また、これらの棚は、接着剤を使用しないため組み立てた後に分解が可能であり、板との組合せ性にも優れ、木の自然な風合いを楽しむことができる。そして、本考案の木製八角棒の連結構造及びその工作物は、柔らかい杉等の木材であっても十分な連結強度を備え、製作も容易である。
【００３４】
展示会、見本市に出展する際の展示物を陳列する展示棚として使用する際、美観を演出し、どの角度からも見えるようにできる。また、現場での組み立てと分解が容易であり、持ち運びが軽いといった特徴をも有する。
【符号の説明】
【００３５】
１：木製八角棒（杉八角棒）
２：連結構造
４：合成樹脂製管継手（塩ビ管継手）
５：テーパ穴
６：先端側角部
７：斜面
２０：棚（工作物）
【図１】
0003222360.tif 000003
【図２】
0003222360.tif 000004
【図３】
0003222360.tif 000005
【図４】
0003222360.tif 000006
【図５】
0003222360.tif 000007